(57)【特許請求の範囲】
【請求項１】
映像特殊効果装置を制御する制御手段と、
グラフィカルユーザーインタフェースを介して操作者による入力を受けると共に、その入力に応じて前記制御手段を操作するよう構成された操作手段と、
グラフィカルユーザーインタフェースを介さずに操作者による入力を受けると共に、その入力に応じて前記制御手段を操作するよう構成された物理入力手段と、
前記物理入力手段への入力と、前記制御手段の動作とを対応づけて記憶する割り当て記憶手段と
を備え、
前記操作手段から、前記割り当て記憶手段に記憶された対応関係を変更することができるよう構成されていること
を特徴とする映像特殊効果装置の制御システム。
【請求項２】
前記物理入力手段は、
前記操作手段に対して着脱可能に構成され、
前記操作手段に接続された状態で、前記制御手段の操作を行うことができるよう構成されていること
を特徴とする請求項１記載の映像特殊効果装置の制御システム。
【請求項３】
前記操作手段は、表示機能を有しており、
この操作手段の表示内容の変化と、前記物理入力手段への入力とが連動するようになっていること
を特徴とする請求項２記載の映像特殊効果装置の制御システム。
【請求項４】
前記操作手段に、少なくとも１つの主操作手段と、この主操作手段とは別の少なくとも１つの副操作手段とが含まれている場合において、
前記主操作手段と前記制御手段とを結ぶ主通信路と、
前記副操作手段と前記制御手段とを結ぶ通信路であって、前記主通信路とは互いに独立に構成された副通信路と
をさらに備えたことを特徴とする請求項１記載の映像特殊効果装置の制御システム。
【発明の詳細な説明】
【０００１】
【発明の属する技術分野】
本発明は、ビデオカメラなどにより撮影された映像などに特殊効果を施す映像特殊効果装置に関し、特に、この映像特殊効果装置の制御のための制御システムに関する。
【０００２】
【従来の技術】
従来より、ビデオカメラにより撮影された映像にワイプなどの映像特殊効果を施すため、映像特殊効果装置が用いられている。
【０００３】
図３９は、例えば特開平５−２９２３９５号に開示されている従来の映像特殊効果装置の制御システムの一例を表す図である。図３９に示した従来の制御システムは、映像特殊効果装置１００８を制御する中央制御部１００４と、その中央制御部１００４を操作するための複数の操作部１００１ａ〜１００１ｎとを備えている。中央制御部１００４は、例えば映像特殊効果装置１００８の近傍に配置され、操作部１００１ａ〜１００１ｎは、それぞれ別の部屋などに配置されて複数の人間により別々に操作されるようになっている。なお、操作部１００１ａ〜１００１ｎは、いずれも同様の構成を有しているため、以下では、単に操作部１００１として説明する。
【０００４】
各操作部１００１は、シリアル回線であるデータ線１００５によって中央制御部１００４に接続されており、このデータ線１００５を介して、操作部１００１から中央制御部１００４へのコマンドの送信が行われるようになっている。また、中央制御部１００４は、いずれかの操作部１００１から送信されたコマンドに基づいて映像特殊効果装置１００８の制御を行い、一つの制御動作が完了する毎に、映像特殊効果装置１００８の新しい状態についての情報（以下、更新情報とする。）を全ての操作部１００１に向けて送信するようになっている。
【０００５】
それぞれの操作部１００１は、ディスプレイなどの表示部１００２、および、押しボタンなどの入力部１００３を備えており、操作者は、表示部１００２に表示される映像特殊効果装置１００８の状態を見ながら入力部１００３を操作できるようになっている。
【０００６】
図４０は、操作部１００１の外形形状の具体例を表す図である。操作部１００１の図中左側の部分には、Ａ列映像選択ボタン１０３２，Ｂ列映像選択ボタン１０３３およびキー選択ボタン１０３１が設けられている。Ａ列映像選択ボタン１０３２は、例えば９つの映像信号源の中から先に表示する映像（バックグラウンド）として使用するための映像信号源を選択するものであり、Ｂ列映像選択ボタン１０３３は、例えば９つの映像信号源の中から次に表示する映像（ファオグランド）として使用するための映像信号源を選択するのものである。キー選択ボタン１０３１は、２つの映像を合成する際のキー信号を選択するものである。それぞれのボタン１０３１〜１０３３は、スイッチ機能を有すると共に、内蔵するランプの点灯により選択を表示する機能も有している。
【０００７】
操作部１００１の中央部分には遷移レバー１０３４が設けられている。遷移レバー１０３４は、例えばワイプ（すなわち、現在の映像をぬぐい去るようにして次の映像に切り替える処理）を行う際に操作されるものである。操作部１００１の図中右側の部分には、効果選択ボタン１０３５、数値表示部１０３６、数値ボタン１０３７、効果表示部１０３８および回転入力つまみ１０３９が設けられている。効果選択ボタン１０３５は、ランプを内蔵した例えば１２個の発光部からなり、いずれかが点灯することにより、現在選択されている効果の種類を表示するようになっている。数値ボタン１０３７は、テンキーを備えており、効果の詳細設定のためのパラメータが入力できるようになっている。数値表示部１０３８は、数値ボタン１０３７により入力された数値を表示するものである。効果表示部１０３８は、現在選択されている効果に関する情報を文字として表示するようになっている。回転入力つまみ１０３９は、連続的な量の入力に使用されるものである。
【０００８】
このように構成された操作部１００１は、例えば以下のように操作される。まず、効果選択ボタン１０３５のいずれかを押して効果（例えばワイプ）を指定したのち、Ａ列選択ボタン１０３２のいずれかを押すことにより、先に表示する映像のための映像信号源を選択し、さらにＢ列選択ボタン１０３２のいずれかを押すことにより、次に表示する映像のための映像信号源を選択する。効果選択ボタン１０３５において指定された効果がワイプであれば、中央制御部１００４は先に表示された映像が徐々にぬぐい去られて次の映像に遷移していくよう、映像特殊効果装置１００８を制御する。なお、遷移レバー１０３４を用いても同様の操作を行うことができる。
【０００９】
なお、中央制御部１００４は、複数の操作部１００１からのコマンドが重複して送信された場合には、最先のコマンドを実行し、その間、後続のコマンドを受け付けないよう制御（いわゆる排他制御）されている。この排他制御は、各操作部１００１を結ぶビジー線１００６および回線要求線１００７を用いて行われる。
【００１０】
【発明が解決しようとする課題】
ところで、近年、映像特殊効果装置の多機能化、高機能化に伴い、操作部には、ＧＵＩ（Graphical User Interface）を備えたコンピュータシステムが採用されることが多い。ＧＵＩの高機能表示により様々な操作が可能になるからである。一方、ＧＵＩでは、操作の即時性に欠けるため、押しボタンやレバーなどの物理的なスイッチを多数備えた操作部（物理入力部とする。）も必要である。
【００１１】
また、操作の高機能化に伴い、物理入力部における限られた数のスイッチで、より多くの操作を行うことが必要になっている。
【００１２】
本発明は係る問題点に鑑みてなされたもので、その目的は、即時性を損なわずに高機能な操作を可能にする映像特殊効果装置の制御システムを提供することにある。
【００１３】
【課題を解決する手段】
本発明により映像特殊効果装置の制御システムは、映像特殊効果装置を制御する制御手段と、グラフィカルユーザーインタフェースを介して操作者による入力を受けると共に、その入力に応じて制御手段を操作するよう構成された操作手段と、グラフィカルユーザーインタフェースを介さずに操作者による入力を受けると共に、その入力に応じて制御手段を操作するよう構成された物理入力手段と、物理入力手段への入力と、その入力に対応する制御手段の動作の割り当てを記憶する割り当て記憶手段とを備え、操作手段から、割り当て記憶手段に記憶された割り当てを変更することができるよう構成されていることを特徴とするものである。
【００１４】
本発明に係る映像特殊効果装置の制御手段では、記憶手段に記憶された、物理入力手段への入力に対する制御手段の動作の割り当てを変更することができ、同じ入力に対しても異なった制御動作を行わせることが可能になる。
【００１５】
【発明の実施の形態】
以下、本発明の実施の形態について図面を参照して説明する。
【００１６】
＜第１の実施の形態＞
図１は、第１の実施の形態に係る映像特殊効果装置の制御システムの基本構成を表すブロック図である。本実施の形態に係る映像特殊効果装置の制御システムは、図示しない映像特殊効果装置を制御する特殊効果制御部１と、ローカルエリアネットワーク（ＬＡＮ）３を通じて特殊効果制御部１に接続された複数の操作部２ａ，２ｂ．．．２ｎを備えている。操作部２ａ〜２ｎは、同一種類であってもよいし、高機能の主操作部と低機能の副操作部とが混在したものであってもよい。ここで、高機能の主操作部（例えば操作部２ａ）と低機能の副操作部（例えば操作部２ｂ〜２ｎ）とが混在している場合には、主操作部が本発明における「主操作手段」の一具体例に対応し、副操作部が本発明における「副操作手段」の一具体例に対応する。また、特殊効果制御部１は、本発明における「制御手段」の一具体例に対応する。なお、以下の説明では、操作部２ａ〜２ｎは、特に必要な場合を除き、単に操作部２として説明する。
【００１７】
操作部２は、マイクロコンピュータを含む操作制御部６と、操作者により操作される入力部５と、操作に関する情報を表示する表示部４とを備えている。特殊効果制御部１および操作部２には、ＬＡＮ３との接続のためのネットワーク・インタフェースが備えられているが、図示および詳細説明は省略する。ＬＡＮ３は既知のイーサネットを使用しており、いつでもどのノードからでも送信を行うことができるようになっているが、全く同時に２つ以上のノードから送信はできないようになっている。ＬＡＮ３上の通信プロトコルおよびアドレス指定などは、既知のＴＣＰ／ＩＰ（Transmission Control Protocol / Internet Protocol）を用いて実現することができるが、詳細については、説明を省略する。
【００１８】
図２は、操作部２の構成例を表す図である。図２に示したように、操作部２は、複数の映像信号源Ａ，Ｂ，Ｃのいずれかを選択するための映像選択ボタン３４Ａ，３４Ｂ，３４Ｃ、および、選択された映像信号源を示すための選択映像表示灯３３Ａ，３３Ｂ，３３Ｃを有している。操作部２は、さらに、複数のキー信号源ｘ，ｙ，ｚのいずれかを選択するためのキー選択ボタン３６Ｘ，３６Ｙ，３６Ｚ、および、選択されたキー信号源を示すための選択キー表示灯３５Ｘ，３５Ｙ，３５Ｚを有している。映像選択ボタン３４Ａ，３４Ｂ，３４Ｃおよびキー選択ボタン３６Ｘ，３６Ｙ，３６Ｚは、入力制御回路３２に接続されている。この入力制御回路３２は、映像選択ボタン３４Ａ，３４Ｂ，３４Ｃおよびキー選択ボタン３６Ｘ，３６Ｙ，３６Ｚの操作に基づき、選択された映像信号源あるいはキー信号源を判断するようになっている。また、選択映像表示灯３３Ａ，３３Ｂ，３３Ｃおよび選択キー表示灯３５Ｘ，３５Ｙ，３５Ｚは、表示制御回路３１に接続されており、この表示制御回路３１は、選択された映像信号源あるいはキー信号源に応じた表示灯を点灯させる制御を行うようになっている。
【００１９】
操作部２は、さらに、キー解除スイッチ３７および液晶表示パネル３８を備えている。キー解除スイッチ３７は、キー選択ボタン３６Ｘ〜３６Ｚにより選択されたキー信号源の選択を取り消す場合に操作する。液晶表示パネル３８は、文字列を表示するようになっている。
【００２０】
映像選択ボタン３４Ａ，３４Ｂ，３４Ｃ，キー選択ボタン３６Ｘ，３６Ｙ，３６Ｚおよびキー解除スイッチ３７は、図１に示した入力部５に対応する。選択映像表示灯３３Ａ，３３Ｂ，３３Ｃ，選択キー表示灯３５Ｘ，３５Ｙ，３５Ｚおよび液晶表示部３８は、図１に示した表示部４に対応する。入力制御回路３２および表示制御回路３１は、図１に示した操作制御部６に対応する。なお、表示部４としては、グラフィックディスプレイを用いることが好ましい。この場合、グラフィックディスプレイ上にグＧＵＩ（Graphical User Interface）を構成し、ポインティングデバイスにより入力ができるようにすることがさらに好ましい。
【００２１】
図３は、特殊効果制御部１に内蔵されたマイクロコンピュータで動作するタスクの構成を表す図である。特殊効果制御部１では、マイクロコンピュータはマルチタスクで動作しており、通信タスクと特殊効果制御タスクが並列に実行されている。通信タスクはＬＡＮとの通信処理を行うものであり、特殊効果制御タスクは映像特殊効果装置と通信して制御を行うものである。
【００２２】
次に、本実施の形態の制御システムの動作について説明する。
【００２３】
まず、本実施の形態の制御システムの基本動作について、図１および図２を参照して説明する。今、映像信号源Ａが選択されており、選択映像表示灯３３Ａが点灯しているものとする。この状態で、操作者が操作部２の映像選択ボタン３４Ｂを押すと、操作部２の入力制御部３２が、映像信号源Ｂを選択するコマンドをＬＡＮ３を通じて特殊効果制御部１に送信する。このコマンドを受信した特殊効果制御部１は、映像信号源をＡからＢへ切り換えると共に、操作部２に対し、映像信号源Ｂを選択したことを示す更新情報を送信する。操作部２は、特殊効果制御部１から送信された更新情報に基づき、選択映像表示灯３３Ａを消灯し、選択映像表示部３３Ｂを点灯させる。
【００２４】
キー信号源の選択についても同様である。例えば、まだキー信号源が選択されておらず、選択キー表示灯３５Ｘ〜３５Ｚのいずれも点灯していないものとする。この状態で、操作者が例えばキー選択ボタン３６Ｚを押すと、操作部２は、キー信号源ｚを選択するコマンドを特殊効果制御部１に送信する。コマンドを受信した特殊効果制御部１は、キー信号源ｚを選択すると共に、操作部２に対し、キー信号源ｚを選択したことを示す更新情報を送信する。操作部２は、特殊効果制御部１からの更新情報に基づき、選択キー表示灯３５Ｚを点灯させる。また、操作者が、キー解除スイッチ３７を押下すると、操作部２は、キー信号源の選択を解除するコマンドを特殊効果制御部１に送信する。コマンドを受信した特殊効果制御部１は、キー信号源の選択を解除し、同時に、選択を解除した旨の更新情報を操作部２に送信する。操作部２は、特殊効果制御部１からの更新情報に基づき、選択キー表示灯３５Ｚを消灯させる。なお、表示灯およびスイッチの代わりに、グラフィックディスプレイと汎用キーボードなどを用いて操作部２を構成した場合でも、同様の動作が可能である。
【００２５】
次に、特殊効果制御部１に複数の操作部２からのコマンドが重複して送信された場合の排他制御について説明する。図４（Ａ）は、特殊効果制御部１に、複数の操作部（ここでは、操作部２ａおよび操作部２ｂとする。）からのコマンドが連続して送信された場合のシーケンスの一例を表すものである。
【００２６】
操作部２ａは、操作者により操作されると、特殊効果制御部１に「送信許可要求」を送信する。これに対し、特殊効果制御部１が操作部２ａにＡｃｋ（許可応答）を返信し、これにより、操作部２ａはコマンドを送信する権利を得る。こののちに、別の操作部２ｂが特殊効果制御部１に送信許可要求が送信した場合には、特殊効果制御部１は、操作部２ｂにＮＡｃｋ（不許可応答）を送信する。すなわち、特殊効果制御部１は、操作部２ａ以外の操作部からのコマンドの受領を拒否をする「受領拒否状態」となる。なお、ここで、「コマンド」という語は、特殊効果制御部１の制御に関する指令を意味するものとして使用する。
【００２７】
コマンドを送信する権利を得た操作部２ａは、特殊効果制御部１にコマンドを送信する。特殊効果制御部１は、操作部２ａにＡｃｋを送信し、映像特殊効果装置の制御を行う。この制御が完了すると、制御対象の映像特殊効果装置の状態を、更新情報としてすべての操作部２に送信する。更新情報の送信が終了すると、特殊効果制御部１は、受領拒否状態を解除する。すなわち、操作部２ｂからの新しい送信許可要求を受けてＡｃｋを送信し、操作部２ｂからのコマンドを待つ。
【００２８】
このように、特殊効果制御部１は、ある操作部２からのコマンドに基づく制御を完了して更新情報を全ての操作部２に送信するまでは受領拒否状態にあり、その更新情報を全ての操作部２に送信してから受領拒否状態が解除されるため、操作者は常に映像特殊効果装置の最新の状態を見ながら操作部２を操作することができ、その結果、更新前の古い情報に基づく不適切なコマンドの送信をより確実に防止できる。
【００２９】
図４（Ｂ）は、図４（Ａ）において、操作部２ｂによる送信許可要求と特殊効果制御部１による更新情報の送信がほぼ同じタイミングとなった場合のシーケンスの一例を表すものである。これは、具体的には、特殊効果制御部１が一つの制御動作を終了し、更新情報を操作部２ｂに送信するのと入れ違いに、操作部２ｂが送信許可要求を特殊効果制御部１に送信した場合である。この場合、特殊効果制御部１は、操作部２ｂからの送信許可要求に対してＡｃｋを返す。ここまでは、図４（Ａ）と同様である。一方、操作部２ｂは、送信許可要求を送信したあとで、ＡｃｋまたはＮＡｃｋではなく更新情報が送られてくるため、「自らが送信許可要求したあとで映像信号源などの更新があった」ことを知る。従って、操作部２ｂは、特殊効果制御部１へのコマンドの送信は行わず、代わりに、特殊効果制御部１に送信許可要求の放棄を示す信号を送り、特殊効果制御部１からのＡｃｋを得て、コマンドを送信する権利を放棄する。同時に、特殊効果制御部１から送信された更新情報に基づいて表示の更新を行い、さらに、操作者に、更新情報に基づく再入力が必要であることを知らせる。
【００３０】
図２に示した操作部２の例では、特殊効果制御部１からの更新情報は、選択映像映像灯３３Ａ〜３３Ｃの点灯の切り換えにより行う。また、操作者に再入力を促す通知は、液晶表示パネル３８に、「他から操作されたので、再操作して下さい」などの文字列を表示することにより行う。より好ましくは、操作部２にブザーを付加して、液晶表示パネル３８の文字表示に加え、ブザー音を併用して操作者に再入力を促す。
【００３１】
このように、操作部２による送信許可要求の送信と特殊効果制御部１による更新情報の送信とがほぼ同じタイミングとなった場合には、操作部２が、自らの送信許可要求を放棄し、操作者に再入力を促すようにしたので、更新前の古い情報に基づく操作をより確実に防止できる。
【００３２】
次に、操作部２の動作について説明する。図５は、操作部２の動作を表す流れ図である。操作部２は、操作者の操作入力を受ける（Ｓ４０１）と、特殊効果制御部１に、送信許可要求を送る（Ｓ４０２）。特殊効果制御部１からＮＡｃｋを受信した場合には（Ｓ４０３でＹ）、操作部２は、送信許可要求が拒否されたことを液晶表示パネル３８に文字列で表示（Ｓ４０６）し、操作者による操作を受ける前の状態に戻る。
【００３３】
一方、操作部２が、特殊効果制御部１に送信許可要求を送信したのち、特殊効果制御部１から更新情報を受信した場合（Ｓ４０３でＮ，Ｓ４０４でＹ）、ＡｃｋまたはＮａｃｋの応答が返信されるのを待つ（Ｓ４０７）。ＮＡｃｋを受信した場合（Ｓ４０７でＹ）には、操作部２は、送信が拒否されたことを液晶表示パネル３８に文字列で表示（Ｓ４０８）し、更新情報に基づいて表示を更新したのち（Ｓ４０９）、操作を受ける前の状態に戻る。ステップＳ４０７でＡｃｋを受信した場合（Ｓ４０７でＮ）には、操作部２は、特殊効果制御部１に送信許可要求の放棄を示す信号を送り（Ｓ４１０）、それに対するＡｃｋを受信したのち（Ｓ４１１）、更新情報に基づいて液晶表示パネル３８の表示を更新する（Ｓ４１２）。次いで、液晶表示パネル３８に再操作を促す旨の文字列を表示して（Ｓ４１３）、操作者による操作を受ける前の状態に戻る。
【００３４】
また、操作部２が、特殊効果制御部１に送信許可要求を送信したのち、Ａｃｋを受信した場合には（Ｓ４０３でＮ，Ｓ４０４でＮ，Ｓ４０５）、特殊効果制御部１にコマンドを送信する（Ｓ４１４）。特殊効果制御部１からＮＡｃｋが返された場合には（Ｓ４１５でＹ）、操作部２は、液晶表示パネル３８にコマンドが拒否された旨を表示する（Ｓ４０６）。これは、例えば特殊効果制御部１ないし映像特殊効果装置に何らかの異常があった場合である。通常は、特殊効果制御部１からＡｃｋが返信され（Ｓ４１６）、操作者による操作を受ける前の状態に戻る。このあと、操作部２は、特殊効果制御部１から送信される更新情報を受信し、これに基づいて表示更新を行うが、この動作は常時行われる処理（操作者による操作がなくても行われる処理）であるので、図５の流れ図では省略している。
【００３５】
次に、特殊効果制御部１の動作について説明する。図６は、特殊効果制御部１の通信タスクが操作部２からの送信許可要求を受信した場合の動作を説明するための流れ図である。通信タスクは、ある操作部（操作部２ｍとする。）からの送信許可要求を受信すると（Ｓ６０１）、操作部２ｍにＡｃｋを返信する（Ｓ６０２）。通信タスクは、操作部２ｍにＡｃｋを返信したのち、次の受信を待ち（Ｓ６０３）、操作部２ｍからのコマンドを受信すると（Ｓ６０４でＹ）、操作部２ｍにＡｃｋを返信し（Ｓ６０６）、コマンドを特殊効果制御タスクに渡す（Ｓ６０７）。特殊効果制御タスクの処理が終了しないうちに他の操作部のいずれかからの送信許可要求を受信した場合には（Ｓ６０８）、通信タスクは、送信元の操作部にＮＡｃｋを返信して受領拒否状態であることを通知する（Ｓ６０９）。特殊効果制御タスクの処理が終了したのち、通信タスクは、特殊効果制御タスクから更新情報を受け取り（Ｓ６１０）、それをすべての操作部２ａ〜２ｎに送信し（Ｓ６１１）、最初の状態、すなわち送信許可要求を受信する前の状態に戻る。
【００３６】
操作部２ｍからの送信許可要求の放棄を示す信号を受信した場合は（Ｓ６０４でＮ，Ｓ６０５でＹ）、通信タスクは、操作部２ｍにＡｃｋを返信して（Ｓ６１２）、最初の状態に戻る。通信タスクが、他の操作部のいずれかからの送信許可要求を受信した場合は（Ｓ６０５でＮ）、送信元の操作部２にＮＡｃｋを返信し、受領拒否状態であることを通知する（Ｓ６１３）。そののち、操作部２ｍからのコマンド待ち状態（Ｓ６０３〜Ｓ６０４）に戻る。操作部２ｍからのコマンドを受信すれば（Ｓ６０４でＹ）、通信タスクは、上述したＳ６０６〜Ｓ６１１の処理を行う。
【００３７】
図７は、特殊効果制御部１の特殊効果制御タスクがコマンドを受信した場合の動作を表す流れ図である。特殊効果制御タスクは、通信タスクからコマンドを受け取り（Ｓ７０１）、コマンドに基づいて映像特殊効果装置の制御動作を実行し（Ｓ７０２）、結果の状態を更新情報として通信タスクへ渡し（Ｓ７０３）、最初の状態、すなわち通信タスクからコマンドを受け取る前の状態に戻る。
【００３８】
このように、特殊効果制御部１は、ある操作部２からのコマンドに基づく制御を完了して更新情報を全ての操作部２に送信するまでは受領拒否状態にあり、その交信情報が全ての操作部２に送信されてから受領拒否状態が解除されるため、操作者は常に映像特殊効果装置の最新の状態を見ながら操作部２を操作することができる。
【００３９】
なお、上記の図５における操作部２の動作において、ステップＳ４０３でＮＡｃｋを受信した際、操作者には通知せず、一定時間後に再び送信許可要求を送る（再試行）を何度か繰り返すようにしても良い。この場合、再試行をしている間は操作者からの操作入力はできないようにすることが好ましい。また再試行中でも更新情報を受信したならば再試行の繰り返しを中止し表示更新をして操作者の再操作を促す様にすることが好ましい。
【００４０】
以上説明したように、本実施の形態では、特殊効果制御部１が、ある操作部からのコマンドに基づく制御動作および更新情報の通知を完了するまでは、他の操作部からのコマンドの受領を拒否し、更新情報を各操作部に送信したのちにその受領拒否状態を解除するようにしたので、更新前の古い情報に基づく操作を防止することができる。従って、複数の操作手段による連続操作を問題なく行うことが可能になる。
【００４１】
さらに、操作部２による送信許可要求の送信と特殊効果制御部１による更新情報の送信とがほぼ同じタイミングとなった場合には、操作部２が、自らの送信許可要求を放棄し、操作者に再入力を促すようにしたので、更新前の古い情報に基づく操作をより確実に防止できる。
【００４２】
＜第２の実施の形態＞
図８は、本発明の第２の実施の形態に係る映像特殊効果装置の制御システムを表すブロック図である。本実施の形態に係る映像特殊効果装置の制御システムは、特殊効果制御部８１と、主操作部８２と、複数の副操作部８３とを備えている。主操作部８２は比較的大型でかつ多機能（すなわち、多種の操作が可能）であり、副操作部８３ａ〜８３ｃは比較的小型で少機能または単機能である。なお、副操作部８３ａ〜８３ｃは、いずれも同様の構成を有しているため、以下では、単に副操作部８３として説明する。ここでは、１つの主操作部８２および３つの副操作部８３が示されているが、主操作部８２および副操作部８３は、いずれも、１つ以上あればよい。図８に示したように、複数の副操作部８３と特殊効果制御部８１とは、イーサネット（Ethernet）などのＬＡＮ８４により接続されている。主操作部８２と特殊効果制御部８１とは、例えばＳＣＳＩ（Small Computer System Interface）よりなる主通信路８５により接続されている。
【００４３】
ここで、特殊効果制御部８１は、本発明における「制御手段」の一具体例に対応する。また、主操作部８２および副操作部８３は、本発明における「主操作手段」および「副操作手段」の一具体例にそれぞれ対応する。また、主通信路８５およびＬＡＮ８４は、本発明における「主通信路」および「副通信路」の一具体例にそれぞれ対応する。
【００４４】
副操作部８３は、遠隔地点から簡単な操作を行うためのもので、簡単な表示機能と比較的少数の入力スイッチとで構成される。一方、主操作部８２は多種の操作を行うものであるため、高度な表示機能と多数の入力スイッチ（好ましくはＧＵＩ機能）を備えている。高度な表示機能・入力機能の例としては、実行中のワイプ処理の画面のワイプ進行位置の情報表示や、クロマキーの設定画面、画面分割（ピクチャインピクチャ）の位置座標のグラフィカル表示など様々なものがある。このような複雑な表示は、主操作部８２と特殊効果制御部８１とを独自の通信路で結ぶことにより可能となるものである。
【００４５】
特殊効果制御部８１と主操作部８２とを接続する主通信路８５はＳＣＳＩであるため、特殊効果制御部８１と主操作部８２とを同じ室内程度の近距離に設置する必要はあるが、大容量の情報を高速に伝送することができる。一方、副操作部８３と特殊効果制御部８１とを接続する副通信路８４はイーサネットであるため、副操作部８３と特殊効果制御部８１とを数百メートル（あるいは中継器機を使いそれ以上）離れた場所に設置することができるという利点がある。但し、副通信路８４には複数の副操作部８３が接続されるため、情報の伝送速度は比較的低速となる。
【００４６】
図９は、特殊効果制御部８１上で動作するタスク構成を表す図である。特殊効果制御部８１は、第１の実施の形態（図３）で説明した通信タスクおよび特殊効果制御タスクに加えて、ＬＡＮ８４との通信のためのＬＡＮインターフェース、および、主通信路８５との通信のための主通信路インターフェースを備えている。ここでは、主通信路および副通信路との通信処理を１つの通信タスクで行い、同時的な通信が起きた場合には、先に発生した方を優先して扱うようになっている。
【００４７】
特殊効果制御部８１の動作は、第１の実施の形態における特殊効果制御部１と同様である。すなわち、特殊効果制御部８１は、一旦主操作部８２および副操作部８３のいずれかからコマンドを受信すると、そのコマンドに基づく制御動作を完了して更新情報を主操作部８２および副操作部８３に送信するまでは受領拒否状態にあり、更新情報の送信後に受領拒否を解除するようになっている。
【００４８】
また、主操作部８２および副操作部８３の動作も、第１の実施の形態における操作部２の動作と同様である。すなわち、主操作部８２および副操作部８３のいずれかからの送信許可要求と特殊効果制御部１による更新情報とがほぼ同じタイミングとなった場合には、送信許可要求を送った主操作部８２または副操作部８３が、自らの送信許可要求を放棄し、操作者に再入力を促すようになっており、更新前の古い情報に基づく操作をより確実に防止できるようになっている。なお、主操作部８２と副操作部８３とでは、表示内容などに違いがあり、更新情報として受け取る情報の種類および量が異なっている。そのため、特殊効果制御部８１は、更新情報の送信の際には、ＬＡＮ８４と主通信路８５とで種類および量の異なる情報を送信するようになっている。
【００４９】
以上説明したように、本実施の形態によれば、特殊効果制御部８１から主操作部８２への通信路と特殊効果制御部８１から副操作部８３への通信路とを互いに独立にしたので、多機能な主操作部８２の接続には大容量の高速回線を用い、少機能な副操作部８３の接続には小容量の回線を用いることが可能になる。従って、必要最小限の接続設備で済み、コストの低減に資することができる。
【００５０】
さらに、本実施の形態では、特殊効果制御部８１が、ある操作部からのコマンドに基づく制御動作および更新情報の通知を完了するまでは、他の操作部からの受領を拒否し、更新情報の送信後にその受領拒否状態を解除するようにしたので、更新前の古い情報に基づく操作を防止することができる。従って、複数の操作手段による連続操作を問題なく行うことが可能になる。さらに、主操作部８２または副操作部８３による送信許可要求と特殊効果制御部１による更新情報とがほぼ同じタイミングとなった場合には、その送信許可要求を送った主操作部８２または副操作部８３が自らの送信を放棄し、操作者に再入力を促すようにしたので、更新前の古い情報に基づく操作をより確実に防止できる。
【００５１】
＜第２の実施の形態の変形例＞
次に、本実施の形態の変形例について説明する。図１０は、本実施の形態の変形例に係る映像特殊効果装置の制御システムの基本構成を表すブロック図である。図１０に示した制御システムのうち、特殊効果制御部９１，主操作部９２および副操作部９３ａ，９３ｂ，９３ｃは、第２の実施の形態の特殊効果制御部８１，主操作部８２および副操作部８３ａ，８３ｂ，８３ｃと同様に構成されている。但し、本変形例では、特殊効果制御部９１と副操作部９３ａ，９３ｂ，９３ｃとを結ぶＬＡＮ９４は、さらに主操作部９２にも接続されている。主操作部９２は、ＬＡＮ９４および主通信路９５の両方を使用し、どちらか一方を経由した受信を処理することもできるようになっている。特殊効果制御部９１は、主操作部９２のみに対して情報を送信する際には主通信路９５を用いるが、主操作部９２および副操作部９３の全てに同じ情報を送信する際にはＬＡＮ９４を用いてブロードキャスト送信（同一の情報を全てのノードに送信すること）するようになっている。
【００５２】
本変形例の制御システムの構成例によれば、主操作部９２および副操作部９３に同一の情報を送信する場合には、ＬＡＮ９４を用いて主操作部９２および副操作部９３に同一の情報をブロードキャスト送信することができるため、主通信路９５を用いる必要がない。従って、特殊効果制御部９１の処理において処理時間を短縮することができる。
【００５３】
＜第３の実施の形態＞
図１１は、本発明の第３の実施の形態に係る映像特殊効果装置の制御システムの基本構成を表す図である。本実施の形態に係る映像特殊効果装置の制御システムは、映像特殊効果装置を制御する特殊効果制御部１１１、操作者が操作入力を行う操作部１１２、この操作部１１２と特殊効果制御部１１１とを結ぶ通信路１１３、および操作後状態記憶部１１４を備えている。操作後状態記憶部１１４は、操作部１１２の操作と、予め想定される操作後の映像特殊効果装置の状態とを対応づけて記憶するようになっている。なお、本実施の形態において、操作部１１２が複数あってかつ主操作部と副操作部とを含む場合には、第２の実施の形態と同様に、特殊効果制御部１１１と主操作部とを結ぶ通信路と、特殊効果制御部１１１と副操作部とを結ぶ通信路とを互いに独立にしてもよい。
【００５４】
図１２は、本実施の形態に係る映像特殊効果装置の制御システムの操作部１１２の構成を示すブロック図である。操作部１１２は、グラフィックディスプレイ１２２、キーボード１２３、ポインティングデバイス１２４、マイクロコンピュータ１２１および操作後状態記憶部１２５を備えている。キーボード１２３、ポインティングデバイス１２４は、いずれも、操作者により操作されるものである。マイクロコンピュータ１２１は、キーボード１２３やポインティングデバイス１２４などからの操作入力に基づき、通信路１１３を介して特殊効果制御部１１１にコマンドを送信するよう構成されている。なお、操作後状態記憶部１２５は、マイクロコンピュータ１２１の内蔵メモリの一部として実装されていてもよい。
【００５５】
図１３は、操作部１１２のグラフィックディスプレイ１２２による表示例を表す図である。グラフィックディスプレイ１２２には、画面の種類を表示するテキスト表示部１３１、操作入力の処理状況を示すテキスト表示部１３２、および、選択されている映像信号源を示す選択表示１３３，１３４，１３５が設けられている。また、グラフィックディスプレイ１２２には、ＧＵＩ機能を利用した、映像信号源を選択するための選択ボタン１３６，１３７，１３８が設けられている。選択表示１３３および選択ボタン１３６は映像信号源Ａに対応しており、選択表示１３４および選択ボタン１３７は映像信号源Ｂに対応しており、選択表示１３５および選択ボタン１３８は映像信号源Ｃに対応している。選択ボタン１３６〜１３８のいずれかを押す操作を行うと、マイクロコンピュータ１２１が、特殊効果制御部１１１にコマンドを送信すると共に、操作後状態記憶部１２５を参照して、グラフィックディスプレイ１２２の選択表示１３３，１３４，１３５のうち、操作された選択ボタンに対応するものを点灯させるようになっている。
【００５６】
図１４は、本実施の形態における操作後状態記憶部１２５の内容を説明する図である。選択ボタン１３６〜１３８の操作と、選択表示１３３〜１３５（すなわち、特殊効果制御部１１１が選択する映像信号源Ａ〜Ｃ）とを対応づけて記憶している。
【００５７】
例えば、選択表示１３３が点灯しているときに、操作者が選択ボタン１３７を押した場合について説明する。操作者が選択ボタン１３７を押すと、マイクロコンピュータ１２１は、操作後状態記憶部１２５に記憶されたテーブル（図１４）の図中矢印で示した行に基づき、選択表示１３４のみを点灯させること（すなわち、特殊効果制御部１１１が映像信号源Ｂを選択すること）を知る。これにより、マイクロコンピュータ１２１は、現在点灯している選択表示１３３を消灯させ、選択表示１３４を点灯させる。同時に、マイクロコンピュータ１２１は、特殊効果制御部１１１に対して、映像信号源Ｂを選択するコマンドを送信する。そののち、もし、特殊効果制御部１１１から操作部１１２にＡｃｋ以外の応答が送信されていた場合には、応答の内容にしたがって選択表示を更新すると共に、テキスト表示部１３２に例えば「処理：操作失敗」の文字列を表示して、操作者に操作が正常終了しなかったことを通知する。なお、データ格納の形式は、上記のようにテーブルの形式に限らず、マイクロコンピュータ１２１が利用しやすい形態であればどのような形式でも良い。
【００５８】
本実施の形態では、操作部１１２の選択ボタン１３６，１３７，１３８が操作されると、遅延なく選択表示１３３，１３４，１３５が更新されるようになっている。すなわち、操作部１１２のマイクロコンピュータ１２１は、選択ボタン１３６，１３７，１３８が操作されると、その操作によって映像特殊効果装置がどのような状態になるかを操作後状態記憶部１２５から読み出して、読み出した情報に基づいてすみやかに選択表示１３３，１３４，１３５を更新するようになっている。
【００５９】
図１５は、本実施の形態において、マイクロコンピュータ１２１が実行する処理を表す流れ図である。操作部１１２が操作されると（Ｓ１４１）、操作後状態記憶部１２５を参照して選択表示を更新し（Ｓ１４２）、操作に対応するコマンドを特殊効果制御部１１１に送信する（Ｓ１４３）。続いて、マイクロコンピュータ１２１は、特殊効果制御部１１１からの応答を受ける（Ｓ１４４）と、それが正常終了であるかどうかを判断し（Ｓ１４５）、正常終了であれば、処理を終了する。この場合、選択表示１３３，１３４，１３５の更新は既に行われている（Ｓ１４２）ので、これ以上の選択表示の更新は行わない。一方、正常終了でない場合には、ステップＳ１４２において更新してしまった選択表示１３３，１３４，１３５を更新前の状態に戻し（Ｓ１４６）、同時に、操作が失敗したことをテキスト表示部１３２に表示する。
【００６０】
なお、ステップＳ１４２およびＳ１４３の順序は逆であってもよい。また、表示の更新をマイクロコンピュータによって行い、送信の処理を図示しないマイクロコンピュータ付属の通信ハードウェアにより処理することが好ましい。このようにすれば、表示の更新とコマンドの送信とを並列に実行することができる。
【００６１】
図１６は、特殊効果制御部１１１が実行する処理を表す流れ図である。特殊効果制御部１１１は、操作部１１２からのコマンドを受信したのち（Ｓ１６１）、そのコマンドに基づいた映像特殊効果装置の制御を行う（Ｓ１６２）。映像特殊効果装置の制御終了後、新しい映像特殊効果装置の状態に関する情報、例えば、映像信号源Ｂを選択した旨の情報を、更新情報として操作部１１２に送信する（Ｓ１６３）。
【００６２】
以上説明したように、本実施の形態によれば、操作部の表示の更新を操作後状態記憶部１２５に基づいて行うようにしたので、特殊効果制御部１１１からの処理結果の応答を待たずに、高速で表示の更新を行うことが可能となる。さらに、特殊効果制御部１１１の処理が正常でなかった場合には、その旨を表示して操作者に通知するようにしたので、異常が発生した場合でも対処することができる。
【００６３】
なお、本実施の形態では、グラフィックディスプレイ１２２における選択表示部１３３，１３４，１３５の点灯・消灯によって映像信号源Ａ，Ｂ，Ｃを表示しているが、より複雑な方法で映像信号源の表示を行う場合にも、本実施の形態が適用できる。
【００６４】
＜第４の実施の形態＞
図１７は、第４の実施の形態に係る映像特殊効果装置の制御システムにおける操作部の構成を示すブロック図である。本実施の形態に係る映像特殊効果装置の制御システムにおける特殊効果制御部１１１は、第３の実施の形態と同様に構成されている。第３の実施の形態では、操作部１１２の操作が行われたのち、直ちに選択表示部１３３，１３４，１３５の更新が行われたのに対し、本実施の形態では、特殊効果制御部１１１（図１１）が制御動作を行うタイミングに合わせて、表示の更新が行われるようになっている。なお、本実施の形態においても、操作部が複数あってかつ主操作部と副操作部とを含む場合には、第２の実施の形態と同様に、特殊効果制御部１１１と主操作部とを結ぶ通信路と、特殊効果制御部１１１と副操作部とを結ぶ通信路とを互いに独立にしてもよい。
【００６５】
本実施の形態に係る映像特殊効果装置の制御システムは、第３の実施の形態と同様に構成されたマイクロコンピュータ１７１ａ，グラフィックディスプレイ１７２，キーボード１７３，ポインティングデバイス１７４および操作後状態記憶部１７５を備えている。映像特殊効果装置の制御システムは、さらに、操作遅延記憶部１７６およびタイマ１７７を備えている。操作遅延記憶部１７６は、操作部１７１が特殊効果制御部１１１（図１１）にコマンドを送信してから、実際に特殊効果制御部１１１が制御動作を開始（あるいは完了）するまでの遅延時間を、操作内容毎に記憶している。タイマ１７７は、セットされた時間が経過するとマイクロコンピュータ１７１ａに通知するようになっている。
【００６６】
図１８は、第４の実施の形態に係る映像特殊効果装置の制御システムの操作部が実行する処理を表す流れ図である。操作部１７１のマイクロコンピュータ１７１ａは、操作者により操作されると（Ｓ１８１）、操作遅延記憶部１７６を参照して該当する遅延時間を取得して、その遅延時間をタイマ１７７にセットする（Ｓ１８２）。同時に、マイクロコンピュータ１７１ａは、操作者の操作に基づいたコマンドを特殊効果制御部１１１に送信する（Ｓ１８３）。そののち、タイマ１７７が作動するまで待機し、タイマ１７７が作動すると（Ｓ１８４）、操作後状態記憶部１７５を参照して表示に関する情報を取得して、操作部１７１のグラフィックディスプレイ１７２の表示を更新する（Ｓ１８５）。そののち、特殊効果制御部１１１からの応答を受信し（Ｓ１８６）、正常終了であればそのまま処理を終了する。特殊効果制御部１１１からの応答が正常終了でなければ、Ｓ１８５において既に更新したグラフィックディスプレイ１７２の表示を更新前の状態に戻すと共に、操作が失敗したことを表示する（Ｓ１８７）。
【００６７】
このように、本実施の形態では、特殊効果制御部１１１からの応答を待って表示を更新するようにした場合よりも表示の更新が速やかに行われる上、タイマを用いて表示の更新を行うようにしたので、適切な時刻に遅延なく表示を更新でき、操作者に快適な操作環境を提供できる。
【００６８】
＜第４の実施の形態の変形例＞
次に、本実施の形態の変形例について説明する。この変形例は、操作部１７１における表示の更新を、一定の時間間隔をおいて複数回行うようにしたものである。
【００６９】
図１９（Ａ）〜（Ｃ）は、映像特殊効果装置の動作による生成映像の時間的変化を説明する図である。図１９（Ａ）は、映像信号源Ａに対応する映像（Ａ映像とする。）を表す図である。図１９（Ｂ）は、映像信号源Ｃに対応する映像（Ｃ映像とする。）を表す図である。図１９（Ｃ）は、特殊効果の一種であるワイプにより、Ａ映像からＣ映像への遷移が行われている状態を表す図である。図１９（Ｃ）に示したように、ワイプにより、最初は全画面に表示されていたＡ映像が左から徐々にぬぐい去られるようにＣ映像に置き換わり、やがて全画面がＣ映像になる。
【００７０】
本変形例では、図１９（Ｃ）に示したような映像の変化が操作者に分かり易いよう、操作部１７１の表示がワイプ開始時とワイプ終了時の２度に亘って更新されるようになっている。図２０（Ａ）〜（Ｃ）は、本変形例における操作部１７１の表示の変化の例を表す図である。本変形例では、操作部１７１は、５つの映像信号Ａ，Ｂ，Ｃ，Ｄ，Ｅに対応する選択表示部１９１，１９２，１９３，１９４，１９５を有しており、いずれも、赤色および黄色で点灯することができるように構成されている。
【００７１】
図２０（Ａ）では、選択表示部１９１が赤色で点灯することにより、例えば映像信号源Ａが選択されていることを示している。この状態では、全画面がＡ映像になっている。図２０（Ｂ）では、選択表示部１９３が選択表示部１９１とは別の色（例えば黄色）で点灯することにより、映像信号源Ａが選択されてはいるが、さらに映像信号源Ｃが加わってきていることを示している。この状態では、ワイプによる映像Ａから映像Ｂへの遷移が進行している。さらに、図２０（Ｃ）では、選択表示部１９３が赤色で点灯することにより、映像信号源Ｃのみが選択されていることを示している。この状態では、全画面がＣ映像になっている。なお、図２０（Ｂ）では、選択表示部１９３の点滅（すなわち、一定の短い間隔で点灯と消灯とを繰り返すこと）によって、ワイプの進行中であることを示すようにしてもよい。このように処理の開始時（図２０（Ｂ））と処理の終了時（図２０（Ｃ））の２回表示を更新することにより、映像の変化が操作者に分かり易くなる。なお、図２０（Ａ）〜（Ｃ）で示した表現よりもさらに高度なグラフィカル表現を使用しても良い。
【００７２】
図２１は、本変形例における操作後状態記憶部１７５の記憶内容の一例を示す図である。本変形例における操作後状態記憶部１７５は、処理開始時（例えばワイプ開始時）における更新情報と、処理完了時（例えばワイプ完了時）における更新情報とを予め記憶している。図２１において、赤および黄となっている部分は、それぞれ赤色および黄色で点灯していることを示しており、空欄となっている部分は消灯状態であることを示している。操作後状態記憶部１７５は、処理開始時と処理完了時に表示すべき更新情報を、予め選択されていた映像信号源と、操作部１７１の操作により新たに選択される映像信号源との組に対して関連づけて記憶している。
【００７３】
図１９（Ｃ）に示したＡ映像からＣ映像への遷移についての更新情報は、図２１において、先に選択されていた映像信号源がＡで、新たに選択された映像信号源がＣとなる行（図中矢印で示す）から得られる。この行に基づき、処理開始時には、選択表示部１９１を赤色に点灯させると共に、選択表示部１９３を黄色に点灯させる。また、処理完了時には、選択表示部１９１を消灯させて、選択表示部１９３を黄色に点灯させる。これにより、図２０（Ａ）〜（Ｃ）に示したような更新情報の表示が可能になる。
【００７４】
図２２は、操作遅延記憶部１７６の記憶内容の例を示す図である。ここでは、ワイプに３種類があり、それぞれワイプ１，ワイプ２およびワイプ３と表記されているものとする。図２２に示した例では、ワイプ１，ワイプ２およびワイプ３のそれぞれについて、例えば１２００ｍｓ，１５００ｍｓおよび２５００ｍｓの遅延時間がそれぞれ記憶されている。操作部１７１では、操作入力により指定されたワイプの種類に応じて、操作遅延記憶部１７６から遅延時間を読み出し、タイマ１７７のセットに使用する。図２２に示したように複数の遅延時間を設定可能としたのは、更新情報の最初の表示から２度目の表示までの時間間隔を、ワイプの種類に合わせて変えるようにするためである。
【００７５】
図２３は、操作部１７１の処理を表す流れ図である。操作部１７１は、操作者により操作されると（Ｓ２１１）、操作後状態記憶部１７５を参照して、選択表示部１９１〜１９５の最初の表示更新を行い（Ｓ２１２）、操作遅延記憶部１７６を参照してタイマ１７７をセットし（Ｓ２１３）、特殊効果制御部１１１にコマンドを送信する（Ｓ２１４）。次いで、操作部１７１は、タイマ１７７の作動を待って（Ｓ２１５）、操作後状態記憶部１７５を参照して処理完了時の表示の情報を得て、選択表示部１９１〜１９５の表示を更新する（Ｓ２１６）。そののち、特殊効果制御部１１１からの応答を受信し（Ｓ２１７）、正常終了であればそのまま終了する。特殊効果制御部１１１からの応答が正常終了でなければ、Ｓ２１６で更新した選択表示部１９１〜１９５の表示を更新前の状態に戻すと共に、操作が失敗したことを表示する（Ｓ２１８）。
【００７６】
なお、タイマ１７７の作動前であっても、特殊効果制御部１１１から何らかのエラーが通知された場合には、タイマ１７７を停止して異常の表示を行うようにしても良い。また、操作遅延記憶部１７６に予め複数の値を記憶しておき、複数のタイマ１７７を設定してそれによって表示を更新することで複雑な表示を行っても良い。
【００７７】
以上説明したように、本変形例では、第４の実施の形態による効果に加えて、選択表示部１９１〜１９５を特殊効果制御部の制御に合わせたタイミングで複数回更新するようにしたので、映像の変化が操作者に分かり易くなる。
【００７８】
＜第５の実施の形態＞
図２４は、本発明の第５の実施の形態に係る映像特殊効果装置の制御システムの基本構成を表すブロック図である。本実施の形態に係る映像特殊効果装置の制御システムは、映像特殊効果装置の制御を行う特殊効果制御部２２１と、操作部２２２とを備えている。なお、本実施の形態において、操作部２２２が複数あってかつ主操作部と副操作部とを含む場合には、第２の実施の形態と同様に、特殊効果制御部２２１と主操作部とを結ぶ通信路と、特殊効果制御部２２１と副操作部とを結ぶ通信路とを互いに独立にしてもよい。
【００７９】
操作部２２２と特殊効果制御部２２１とは、例えばＳＣＳＩよりなる通信路２２３によって接続されている。操作部２２２は、さらに、マイクロコンピュータ２２２ａ，グラフィックディスプレイ２２６，キーボード２２７およびポインティングデバイス２２８を備えており、これらによりＧＵＩ機能が提供されるようになっている。
【００８０】
操作部２２２は、さらに、物理入力部２２４を備えている。この物理入力部２２４は、映像特殊効果の操作に用いられるスイッチ、レバーおよび回転式つまみなどを備えている。物理入力部２２４と操作部２２２とは接続部２２５により接続されているが、この接続部２２５は接続および切り離しが自在になっており、物理入力部２２４を操作部２２２に装着したり、操作部２２２から取り外したりすることができるようになっている。
【００８１】
グラフィックディスプレイ２２６上においてＧＵＩ機能により提供される操作環境は、画面の領域内に一度に表示できる情報で制限されるが、ウィンドウシステムなどを用いて画面を切り換えることにより、多くの種類の操作環境を提供することができる。参照および操作を容易にするため、同じ種類の操作を行う部分、あるいは、同じ種類の情報を表示する部分は同じ画面内に配置することが好ましい。狭い室内に多数の装置を置いて操作する場合は、大きなスペースを必要とする物理入力部２２４は操作部２２２から取り外しておくことが望ましい。
【００８２】
一方、よりスペースのある環境で使用できる場合は、操作性に優れた物理入力部２２４を操作部２２２に接続して使用することが望ましい。物理入力部２２４は、一度に多数のスイッチを参照でき、かつ一挙動で迅速な操作を行うことができるという利点があるからである。
【００８３】
本実施の形態においては、物理入力部２２４を操作部２２２に装着した状態でも操作部２２２から取り外した状態でも使用できるようにしている。物理入力部２２４を操作部２２２から取り外した場合には、操作者はグラフィックディスプレイ２２６上でＧＵＩ機能を利用して操作を行うことができる。物理入力部２２４を操作部２２２に装着した場合には、操作者は物理入力部２２４から操作することができるが、表示についてはグラフィックディスプレイ２２６をそのまま使用することができる。
【００８４】
図２５は、グラフィックディスプレイ２２６における物理入力部２２４に連動するグラフィック表示の例を示す図である。図２５に示した例では、物理入力部２２４の回転式つまみなどを用いて０〜１００％の範囲で変動する値を設定すると、その回転式つまみの操作に連動して、グラフィックディスプレイ２２６に棒グラフ状の図形が表示され、操作者に直感的に値を知らせるようになっている。物理入力部２２４の回転式つまみを操作すると、ほぼ同時に、グラフィックディスプレイ２２６上の棒グラフ状の図形が更新される。さらに、棒グラフ状の図形の他に、文字表示の数値を同時に表示することで、操作者に、より好適な操作環境を提供することが好ましい。
【００８５】
例えば、ワイプの種類を物理入力部２２４のボタンにより選択できるようにした場合には、操作部２２２のグラフィックディスプレイ２２６に、ワイプの詳細設定画面を図形として表示することが好ましい。ワイプの詳細設定画面としては、遷移中の元の映像と新しい映像の境界線の太さの設定や、遷移スピードの設定などについて、それぞれに図２５のような図形表示を設けることが好ましい。これらの設定は、物理入力部２２４の回転式つまみを用いてもできるようにし、物理入力部２２４の回転式つまみによってこれらの設定を行った場合には、グラフィックディスプレイ２２６の図形表示が変化するようにすることが好ましい。
【００８６】
図２６は、物理入力部２２４が操作された際の、操作部２２２のマイクロコンピュータ２２２ａの処理を示す流れ図である。操作部２２２は、物理入力部２２４が操作されたことを受信すると（Ｓ２６１）、その操作内容が特殊効果制御部２２１へのコマンドであれば（Ｓ２６２でＹ）、そのコマンドを特殊効果制御部２２１に送信する（Ｓ２６３）。また、操作内容がＧＵＩ動作に関係するものであれば（Ｓ２６４でＹ）、グラフィックディスプレイ２２６上の表示更新などを行う（Ｓ２６５）。操作内容がＧＵＩ動作に関係するものでなければ（Ｓ２６４でＮ）、そのまま処理を終了する。また、ＧＵＩ動作の結果、特殊効果制御部２２１へのコマンドが発生すれば（Ｓ２６６でＹ）、そのコマンドを特殊効果制御部２２１へ送信する（Ｓ２６７）。特殊効果制御部２２１へのコマンドが発生しなければ（Ｓ２６６でＮ）、そのまま処理を終了する。このようにして、ＧＵＩ機能を利用した操作部２２２と物理入力部２２４との連動が可能になる。
【００８７】
以上説明したように、物理入力部２２４を操作部２２２に対して着脱可能にしたので、狭い室内に多数の装置を置いて操作する場合は、物理入力部２２４は操作部２２２から取り外しておき、スペースのある環境で操作する場合は、操作性に優れた物理入力部２２４を操作部２２２に接続して使用することができる。
【００８８】
さらに、ＧＵＩ機能を利用した操作部２２２と物理入力部２２４とを連動させるようにしたので、物理入力部２２４の操作上の即時性と、ＧＵＩ機能の表示能力とをともに利用することができ、従って、高機能な映像効果装置の操作を容易に行うことができる。
【００８９】
＜第６の実施の形態＞
図２７は、第６の実施の形態に係る映像特殊効果装置の制御システムの基本構成を表す図である。本実施の形態に係る映像特殊効果装置の制御システムは、第５の実施の形態と同様に構成された特殊効果制御部２２１および操作部２２２を備えている。また、操作部２２２は、第５の実施の形態と同様、マイクロコンピュータ２２２ａ，通信路２２３，物理入力部２２４，接続部２２５，グラフィックディスプレイ２２６，キーボード２２７およびポインティングデバイス２２８を備えている。操作部２２２と物理入力部２２４とは、第５の実施の形態と同様に連動されている。なお、本実施の形態において、操作部２２２が複数あってかつ主操作部と副操作部とを含む場合には、第２の実施の形態と同様に、特殊効果制御部２２１と主操作部とを結ぶ通信路と、特殊効果制御部２２１と副操作部とを結ぶ通信路とを互いに独立にしてもよい。
【００９０】
本実施の形態では、操作部２２２のマイクロコンピュータ２２２ａに、割り当て記憶部２４０１が接続されている。割り当て記憶部２４０１は、マイクロコンピュータ２２２ａからアクセス可能なメモリであり、選択ボタンと映像信号源との対応関係（すなわち、割り当て）を記憶するためのものである。
【００９１】
物理入力部２２４には、現在の映像に対応するＡ列の映像信号を選択するための５つのボタン（以下、Ａ列映像選択ボタンとする。）と、次の映像に対応するＢ列の映像信号を選択するための５つのボタン（以下、Ｂ列映像選択ボタンとする。）とが設けられている。Ａ列映像選択ボタンおよびＢ列映像選択ボタンは、いずれも、１０種類の映像信号源Ｖ１〜Ｖ１０のいずれかに対応づけることができるようになっている。これは、限られた数の映像選択ボタンで、より多くの種類の映像信号源に対応できるようにするためである。なお、Ａ列映像選択ボタンおよびＢ列映像選択ボタンについては、図示を省略する。
【００９２】
図２８は、映像選択ボタンと映像信号源とを対応づけるための、グラフィックディスプレイ２２６上の画面表示の一例を示す図である。図２８において、上方に並んで形成された５つの四角形のマーク（以下、Ａ列選択マークとする。）２４１は、Ａ列映像選択ボタンにそれぞれ対応する。下方に並んで形成された５つの四角形のマーク（以下、Ｂ列選択マークとする。）２４５は、Ｂ列の映像選択ボタンにそれぞれ対応する。中央の１０個の四角形のマーク（以下、信号源マークとする。）２４３は、１０種類の映像信号源Ｖ１〜Ｖ１０にそれぞれ対応する。
【００９３】
結合線２４２は、Ａ列選択マーク２４１と信号源マーク２４３との現在の対応関係の設定をグラフィカルに表現するものである。同様に、結合線２４４は、Ｂ列選択マーク２４５と信号源マーク２４３との現在の対応関係の設定を表現するものである。例えばＡ列選択マーク２４１の一番左側のマークは、映像信号源Ｖ１に対応づけられ、Ａ列選択マーク２４１の左から３番目のマークは映像信号源Ｖ４に対応づけられている。同様に、例えばＢ列選択マーク２４５の一番右のマークは映像信号源Ｖ１０に対応づけられている。
【００９４】
図２９は、グラフィックディスプレイ２２６の表示内容を表すものである。図２９に示したように、グラフィックディスプレイ２２６の表示画面には、一つの表示区域の外縁を規定する長方形の窓２５２が形成され、その窓２５２の内部において、図中斜線で示した描画領域２５４に、図２８に示した対応関係表示画面が表示される。なお、描画領域２５４の上方には、窓の名称を表示する欄２５３が形成され、描画領域２５４の下方には完了ボタンを表すマーク２５５、および、中止ボタンを表すマーク２５６が形成されている。マーク２５５およびマーク２５６は、例えばマウスによるクリックによって、この窓の動作を完了または中止するものである。なお、図中符号２５７で示したカーソルは、ポインティングデバイス（マウス）の動きに合わせて画面上を移動するものである。
【００９５】
次に、映像選択ボタンと映像信号源との対応関係（割り当て）を変更する操作について説明する。この対応関係の変更は、図２８に示したグラフィックディスプレイ２２６の表示を見ながら行う。ここでは、ポインティングデバイスとしてマウスを使うこととする。まず、Ａ列選択マーク２４１のいずれかの上にカーソルを移動し、そこでマウスボタンを押し、そのままドラッグして信号源マーク２４３のいずれかの上にカーソルを移動し、そこでマウスボタンをはなす。この結果、Ａ列選択マーク２４１の一つとの信号源マーク２４３の一つが結合線２４２で結ばれる。これにより、そのＡ列選択マーク２４１に対応する映像選択ボタンのそれまでの割り当ては破棄され、カーソルを移動した信号源マーク２４３に対応する映像信号源に割り当てられる。Ａ列選択マーク２４１の５つについての映像信号源の割り当てが完了すると、Ｂ列選択マーク２４５についても同様に映像信号源を割り当てることができる。
【００９６】
図２９の完了マーク２５５のクリックにより割り当て操作が完了すると、映像選択ボタンと映像信号源との対応関係を割り当て記憶部２４０１に記憶する。中止マーク２５６がクリックされると、操作した内容は記憶されず、何も操作しなかったのと同じ状態に戻る。映像選択ボタンと映像信号源との対応関係は、割り当て記憶部２４０１に、図３０に示したような表形式で記憶される。
【００９７】
操作部２２２のマイクロコンピュータ２２２ａは、物理入力部２２４からいずれかの映像選択ボタンが押されたことが通知されると、割り当て記憶部２４０１の内容を参照して割り当てられている映像信号源を知り、その映像信号源を生成映像の構成要素として選択する。
【００９８】
以上説明したように、本実施の形態によれば、物理入力部２２４に対する入力と映像信号源との対応関係をＧＵＩ機能を利用して可変できるようにしたので、操作者がこの対応関係を容易に変更できるようになり、物理入力部２２４の操作性を有効に活用することができる。また、限られた数の映像選択ボタンで、より多くの種類の映像信号源に対応することが可能になる。さらに、物理入力部２２４と映像信号源との対応関係を変更可能にすることにより、操作環境を自在に構築することが可能になる。
【００９９】
なお、本実施の形態では、物理入力部２２４への入力と映像信号源とを対応させ、その対応関係を変更できるようにしたが、物理入力部２２４への入力と特殊効果制御部２２１の他の機能と対応させ、その対応関係を変更できるようにしてもよい。
【０１００】
＜第７の実施の形態＞
図３１は、本発明の第７の実施の形態に係る映像特殊効果装置の制御システムの基本構成を示すブロック図である。本実施の形態に係る制御システムは、特殊効果制御部２７１，主操作部２７２および副操作部２７３ａ〜２７３ｎを備えている。特殊効果制御部２７１は、マイクロコンピュータ２７１１を有している。主操作部２７２は、マイクロコンピュータ２７２１、表示部２７２２、入力部２７２３、識別子レジスタ２７２４を有している。なお、副操作部２７３ａ〜２７３ｎは、いずれも同様の構成を有しているため、以下では単に副操作部２７３として説明する。
【０１０１】
各副操作部２７３は、マイクロコンピュータ、表示部、入力部、識別子レジスタ２７３４を有している。なお、副操作部２７３のマイクロコンピュータ、表示部および入力部については、図示を省略する。特殊効果制御部２７１は、ＬＡＮ２７５を介して、主操作部２７２および副操作部２７３と接続されている。特殊効果制御部２７１は、履歴記憶部２７４を内蔵しており、マイクロコンピュータ２７１１からアクセスするメモリの一領域として実現されている。
【０１０２】
主操作部２７２および各副操作部２７３のそれぞれの識別子レジスタ２７２４，２７３４は、それぞれ異なる識別子を記憶している。識別子レジスタ２７２４，２７３４が記憶している識別子の内容は、例えば、数値（０,１，２．．．ｎ）などであって、操作部毎に異なる値であれば良い。また、数値の代わりに文字列を使用しても良い。
【０１０３】
主操作部２７２および副操作部２７３は、特殊効果制御部２７１に対してコマンドを送信する際に、そのコマンドに識別子を付与して特殊効果制御部２７１に送信するようになっている。ＬＡＮ２７５は、既知のイーサネットなどの上にＴＣＰ／ＩＰなどの既知のプロトコルを実装して使用されるが、詳細説明は省略する。なお、第２の実施の形態と同様に、特殊効果制御部２７１と主操作部２７２とを結ぶ通信路と、特殊効果制御部２７１と副操作部２７３とを結ぶ通信路とを互いに独立にしてもよい。
【０１０４】
図３２は、主操作部２７２および副操作部２７３が送信するコマンドのデータ構造の例を表すものである。図３２に示したように、送信するコマンドの前には、送信元の操作部（主操作部２７２あるいは副操作部２７３のいずれか）に対応する識別子が付けられている。図３３は、特殊効果制御部２７１の履歴記憶部２７４に記憶されるデータ構造を表すものである。履歴記憶部２７４では、識別子，コマンドおよびコマンドを受信または処理した時刻が一組のデータとして記憶される。図３３では、単なるテーブル形式のデータ構造を示したが、より動的な管理がし易いように既知のポインタによるリスト構造としても良い。なお、記憶手段（メモリ）の容量には限度があるので、記憶されたデータを古い順に破棄することが好ましい。また、ここでは、データをメモリのみに記憶しているが、ディスク装置などの外部記憶装置を接続して、メモリの記憶内容をディスク装置に保存するようにしてもよい。
【０１０５】
本実施の形態では、特殊効果制御部２７１の履歴記憶部２７４が、どの操作部からどのような操作が行われたかについての履歴情報を記憶している。操作者は、必要な場合には、各操作部（主操作部２７２あるいは副操作部２７３）から特殊効果制御部２７１に対して履歴情報を要求するコマンドを送信し、特殊効果制御部２７１から送信された履歴情報を表示部２７２２などに表示することができるようになっている。
【０１０６】
図３４は、特殊効果制御部２７１の内蔵マイクロコンピュータ２７１１が実行する処理を表す流れ図である。特殊効果制御部２７１が、主操作部２７２あるいは副操作部２７３からコマンドを受信すると（Ｓ３０１）、そのコマンドが履歴要求であるかどうかを判断する（Ｓ３０２）。コマンドが履歴要求でなければ（Ｓ３０２でＮ）、そのコマンドに基づいて映像特殊効果を制御して（Ｓ３０３）、識別子、コマンドと時刻を履歴記憶部に記憶する。コマンドが履歴要求であれば（Ｓ３０２でＹ）、履歴記憶部２７４の内容を読み出したのち、送信元の主操作部２７２あるいは副操作部２７３へ送信する（Ｓ３０５）。
【０１０７】
図３５は、主操作部２７２のマイクロコンピュータ２７２１が実行する処理を表す流れ図である。操作者により操作されると（Ｓ３１１）、操作内容が履歴要求であるかどうかを判断する（Ｓ３１２）。操作内容が履歴要求でなければ、特殊効果制御部２７１にコマンドを送信し（Ｓ３１３）、特殊効果制御部２７１からの応答信号を受信する（Ｓ３１４）。操作内容が履歴要求であれば、履歴要求を特殊効果制御部２７１に送信し（Ｓ３１５）、特殊効果制御部２７１からの履歴情報を受信して（Ｓ３１６）、表示部２７２２に表示する（Ｓ３１７）。表示形式は、例えば図３３に示した形式である。なお、主操作部２７２は、履歴情報をデータベースとして加工できることが好ましい。この場合、履歴情報を、特定の識別子（すなわち特定の操作部）からのコマンドのみを順次表示したり、特定のコマンドのみを表示するなどの操作が可能であれば、システム管理者の目的により好ましい表示形式を選択できる。また、副操作部２７３も、図３５に示した主操作部２７２と同様の処理を実行することが可能である。
【０１０８】
以上説明したように、本実施の形態では、特殊効果制御部２７１の履歴記憶部２７４が、特殊効果制御部２７１に送信されたコマンドとそのコマンドを送信した操作部（主操作部２７２または副操作部２７３）の識別子とを対応づけて記憶するようにしたので、どの操作部からどのような操作が行われたかについての履歴情報を取得することができる。このような履歴情報は、例えば制御システムの改良や操作者の配置の検討をするための資料として活用できる。
【０１０９】
また、操作部（主操作部２７２または副操作部２７３）がコマンドと識別子とを送信するようにしたので、ＬＡＮなどにより通信路を共通化した場合であっても、どの操作部から送信されたコマンドかを識別することが可能になる。
【０１１０】
＜第７の実施の形態の変形例＞
図３６は、本実施の形態の変形例に係る映像特殊効果装置の制御システムの基本構成を表すブロック図である。この変形例に係る制御システムは、特殊効果制御部２９１，主操作部２９２，副操作部２９３およびＬＡＮ２９５を備えている。この変形例では、主操作部２９２は、第７の実施の形態とそれぞれ同様に構成されたマイクロコンピュータ２９２１，表示部２９２２，入力部２９２３および識別子レジスタ２９２４を備え、さらに、履歴記憶部２９４を備えている。この履歴記憶部２９４は、マイクロコンピュータ２９２からアクセス可能なメモリである。副操作部２９３は、主操作部２９２と同様のマイクロコンピュータ，表示部，入力部および識別子レジスタ（いずれも図示は省略する）を備えている。特殊効果制御部２９１は、履歴記憶部を有さない点を除き、第７の実施の形態の特殊効果制御部２７１と同様に構成されている。
【０１１１】
図３７は、この変形例における特殊効果制御部２９１が実行する処理を表す流れ図である。特殊効果制御部２９１は、コマンドを受信すると（Ｓ３２１）、そのコマンドに基づいて映像特殊効果装置を制御する処理を行う（Ｓ３２２）。なお、この処理には、コマンドの処理結果を操作部に送信する処理も含まれている。特殊効果制御部２９１は、さらに識別子、コマンド、時刻（受信時または処理時）を組にして、主操作部２９２に送信する（Ｓ３２３）。
【０１１２】
図３８は、この変形例において主操作部２９２が実行する処理を示す流れ図である。主操作部２９２は、操作者により操作されると（Ｓ３３１）、その操作内容が履歴要求であるかどうかを判断する（Ｓ３３２）。操作内容が履歴要求でなければ（Ｓ３３２でＮ）、特殊効果制御部２９１にコマンドを送信したのち（Ｓ３３３）、特殊効果制御部２９１からの応答信号を受信する（Ｓ３３４）。次いで、特殊効果制御部２９１から送信された識別子，コマンド，時刻の組を受信して、履歴記憶部２７４に記憶する（Ｓ３３５）。操作内容が履歴要求であれば（Ｓ３３２でＹ）、履歴情報を履歴記憶部２９２４から読み出して（Ｓ３３６）、表示部２９２２に表示する（Ｓ３３７）。
【０１１３】
なお、図示は省略するが、主操作部２９２には、副操作部２９３の入力操作によって発生したコマンドにより、特殊効果制御部２９１から識別子，コマンドおよび時刻の組が送信される場合があり、その場合には、ステップＳ３３５の処理と同様の処理を行う。
【０１１４】
副操作部２９３の処理は図示しないが、副操作部２９３は履歴要求を行わないようにしても良い。あるいは、副操作部２９３が、ＬＡＮ２９５を介して主操作部２９２に履歴要求をし、主操作部２９２が履歴記憶部２９４の履歴情報を副操作部２９３に送信するようにしてもよい。
【０１１５】
なお、この変形例のさらに別の構成例としては、副操作部２９３からの送信を主操作部２９２でモニタできるようにし、副操作部２９３から特殊効果制御部２９１への送信があると、（特殊効果制御部２９１からの送信がなくとも）識別子，コマンドおよび送信の時刻を履歴記憶部２９４に記録するようにしてもよい。より好ましくは、識別子、コマンドを履歴記憶部に書き込むと同時に表示し、操作者が複数の操作部からどのような操作がされているかのモニタリング（監視）を可能としても良い。モニタリングが主目的である場合には、履歴記憶部の容量は小さくても良い。コマンドの履歴の数個を表示する機能を持たせれば、十分に監視の機能を果たすことができるからである。
【０１１６】
以上説明したように、本変形例によれば、特殊効果制御部２９１に対する操作の履歴を主操作部２９２が記憶して表示するようにしたので、履歴情報の参照がさらに容易になる。
【０１１７】
以上、いくつかの実施の形態および変形例を挙げて本発明を説明したが、本発明は、上記各実施の形態および変形例に限定されるものではなく、種々変形可能である。
【０１１８】
【発明の効果】
以上説明したように、請求項１ないし請求項４のいずれか１に記載の映像特殊効果装置の制御システムによれば、記憶手段に記憶された、物理入力手段への入力と制御手段の制御動作との対応関係を変更できるようにしたので、物理入力手段における限られた数の入力に対して多種類の動作を割り当てることが可能になる。すなわち、即時性を損なわずに、多種類の操作を行うことが可能になるという効果を奏する。また、操作者が操作環境を自在に変更できるため、良好な操作環境を容易に構築できるという効果を奏する。
【０１１９】
また、請求項３記載の映像特殊効果装置の制御システムによれば、物理入力手段への入力に連動して操作手段の表示が変化するようになっているため、操作者は、ＧＵＩを備えた操作部を見ながら物理入力手段に対する入力を行うことができる。すなわち、物理入力手段の操作上の即時性および簡便さと、ＧＵＩの表示能力とをともに享受して、操作性をさらに向上させることが可能になるという効果を奏する。
【０１２０】
また、請求項４記載の映像特殊効果装置の制御システムによれば、操作手段に主操作手段と副操作手段とが含まれている場合に、主操作手段と制御手段とを結ぶ主通信路と、副操作手段と制御手段とを結ぶ副通信路とを互いに独立にしたので、主通信路を大容量として副通信路を小容量とすることができ、従って、必要最小限の接続設備で済み、コストを低減することができるという効果を奏する。
【図面の簡単な説明】
【図１】本発明の第１の実施の形態に係る映像特殊効果装置の制御システムの基本構成を表すブロック図である。
【図２】図１の制御システムの操作部の構成を表す図である。
【図３】図１の制御システムのタスク構成を表す図である。
【図４】図１の制御システムの通信シーケンスを表す図である。
【図５】図１の制御システムにおいて、操作部が実行する処理を表すフローチャートである。
【図６】図４に示した通信タスクが実行する処理を表すフローチャートである。
【図７】図４に示した特殊効果制御タスクが実行する処理を表すフローチャートである。
【図８】本発明の第２の実施の形態に係る映像特殊効果装置の制御システムの基本構成を表すブロック図である。
【図９】図８に示した映像特殊効果装置の制御システムのタスク構成を表す図である。
【図１０】本発明の第２の実施の形態の変形例に係る映像特殊効果装置の制御システムの基本構成を表すブロック図である。
【図１１】本発明の第３の実施の形態に係る映像特殊効果装置の制御システムの基本構成を表すブロック図である。
【図１２】図１１に示した制御システムにおける操作部の基本構成を表すブロック図である。
【図１３】図１２に示した操作部のＧＵＩ表示部の一例を表す図である。
【図１４】図１１に示した制御システムにおける操作後状態記憶部の記憶内容を表す図である。
【図１５】図１２に示した操作部が実行する処理を表す流れ図である。
【図１６】図１１に示した制御システムにおける特殊効果制御部が実行する処理を表すブロック図である。
【図１７】本発明の第４の実施の形態に係る映像特殊効果装置の制御システムの基本構成を表すブロック図である。
【図１８】図１７に示した制御システムの操作部が実行する処理を表す流れ図である。
【図１９】図１７に示した制御システムにおける生成映像の変化の一例を表す図である。
【図２０】図１７に示した制御システムの操作部における選択映像表示の例を表す図である。
【図２１】図１７に示した制御システムにおける操作後状態記憶部の記憶内容を表す図である。
【図２２】図１７に示した制御システムにおける操作遅延記憶部の記憶内容を表す図である。
【図２３】図１７に示した制御システムにおける操作部が実行する処理を表す流れ図である。
【図２４】本発明の第５の実施の形態に係る映像特殊効果装置の制御システムの基本構成を表すブロック図である。
【図２５】図２４に示した制御システムの操作部における設定内容の表示例を表す図である。
【図２６】図２７に示した制御システムの操作部が実行する処理を表す流れ図である。
【図２７】本発明の第６の実施の形態に係る映像特殊効果装置の制御システムの基本構成を表す図である。
【図２８】図２７に示した制御システムの操作部におけるボタン割り当ての表示例を表す図である。
【図２９】図２７に示した制御システムの操作部のＧＵＩ表示例を表す図である。
【図３０】図２８に示した制御システムの操作部におけるボタン割り当ての記憶例を表す図である。
【図３１】本発明の第７の実施の形態に係る映像特殊効果装置の制御システムの基本構成を表すブロック図である。
【図３２】図３１の制御システムで用いられるコマンドのデータ構成を表す図である。
【図３３】図３１の制御システムにおける履歴記憶部が記憶しているテーブルの一例を表す図である。
【図３４】図３６に示した制御システムの特殊効果制御部が実行する処理を表す流れ図である。
【図３５】図３６に示した制御システムの操作部が実行する処理を表す流れ図である。
【図３６】本発明の第７の実施の形態の変形例に係る映像特殊効果装置の制御システムの基本構成を表すブロック図である。
【図３７】図３６に示した制御システムの特殊効果制御部が実行する処理を表す流れ図である。
【図３８】図３６に示した制御システムの履歴記憶付き操作部が実行する処理を表す流れ図である。
【図３９】一般の映像特殊効果装置の制御システムの基本構成を表すブロック図である。
【図４０】一般の映像特殊効果装置の操作部の一例を表す図である。
【符号の説明】
１，８１，９１，１１１，２２１，２７１，２９１…特殊効果制御部、２，１１２，２２２…操作部、８２，９２…主操作部、８３，９３…副操作部、８４，９４，２７５，２９５…ＬＡＮ、８５，９５…主通信路、１１３，２２３…通信路、１１４…操作後状態記憶部、１２１，１７１，２７２１…マイクロコンピュータ、１２２，１７２，２２６…グラフィックディスプレイ、１２３，１７３，２２７…キーボード、１２４，１７４，２２８…ポインティングデバイス、１２５，１７５…操作後状態記憶部、１７６…操作遅延記憶部、２２４…物理入力部、２２５…接続部、２７２…主操作部、２７３，２９３…主操作部、２７３４，２９２４…識別子レジスタ、２７１１，２９２１…マイクロコンピュータ，２９２…履歴記憶付き操作部、２９４…履歴記憶部。
【図１】
0004465826.tif 000002
【図２】
0004465826.tif 000003
【図３】
0004465826.tif 000004
【図４】
0004465826.tif 000005
【図５】
0004465826.tif 000006
【図６】
0004465826.tif 000007
【図７】
0004465826.tif 000008
【図８】
0004465826.tif 000009
【図９】
0004465826.tif 000010
【図１０】
0004465826.tif 000011
【図１１】
0004465826.tif 000012
【図１２】
0004465826.tif 000013
【図１３】
0004465826.tif 000014
【図１４】
0004465826.tif 000015
【図１５】
0004465826.tif 000016
【図１６】
0004465826.tif 000017
【図１７】
0004465826.tif 000018
【図１８】
0004465826.tif 000019
【図１９】
0004465826.tif 000020
【図２０】
0004465826.tif 000021
【図２１】
0004465826.tif 000022
【図２２】
0004465826.tif 000023
【図２３】
0004465826.tif 000024
【図２４】
0004465826.tif 000025
【図２５】
0004465826.tif 000026
【図２６】
0004465826.tif 000027
【図２７】
0004465826.tif 000028
【図２８】
0004465826.tif 000029
【図２９】
0004465826.tif 000030
【図３０】
0004465826.tif 000031
【図３１】
0004465826.tif 000032
【図３２】
0004465826.tif 000033
【図３３】
0004465826.tif 000034
【図３４】
0004465826.tif 000035
【図３５】
0004465826.tif 000036
【図３６】
0004465826.tif 000037
【図３７】
0004465826.tif 000038
【図３８】
0004465826.tif 000039
【図３９】
0004465826.tif 000040
【図４０】
0004465826.tif 000041